(57)【要約】【課題】複数の映像音声録画再生ストレージを有する複合型映像音声録画再生装置においては、個々の動作状況下において、動作不可の制約を受ける操作の種類が異なり、しかも複数存在する。従って、ユーザーは、個々の動作状況下において、実行可能な操作内容を理解した上で操作することが困難であるため、不要な操作を行なったり、操作時に煩雑感をいだいてしまうといった問題があった。【解決手段】表示画像２０に、システムの各動作モードに対応する動作ボタン２４，２５を表示させ、現在実行中の動作モードに対応する動作ボタンと、この実行中の動作モードに対して、実行が可能な動作モードに対応する有効動作ボタンと、実行が不可能な動作モードに対応する無効動作ボタンとを、識別可能に表示する。【選択図】        図２
2004153384.tif 000002
【特許請求の範囲】
【請求項１】
複数の映像音声録画再生ストレージと、
記録映像音声信号をエンコード処理して前記映像音声録画再生ストレージに書き込む記録データを生成するエンコーダ部と、
前記映像音声録画再生ストレージから読み出した再生データをデコード処理して再生映像音声信号を生成するデコーダ部と、
ユーザーが操作する複数の操作キーを備えて、該操作キーの操作情報を出力する入力デバイス部と、
複数の動作モードに各々対応する動作ボタンを表示するグラフィック画像を、前記記録映像音声信号又は前記再生映像音声信号に基づくモニター画像に加えて表示可能とすべく、前記記録映像音声信号又は前記再生映像音声信号の画像情報に前記グラフィック画像の画像情報を重畳した映像出力信号を出力する画像処理手段と、
前記操作情報に基づいて、少なくとも前記画像処理手段を制御する制御部と
を有し、
前記エンコーダ部と前記デコーダ部の各動作状態に応じて、前記グラフィック画像に、実行中の動作モードに対して、少なくとも、実行が可能な動作モードに対応する有効動作ボタンと、実行が不可能な動作モードに対応する無効動作ボタンとを識別可能に表示するように構成したことを特徴とする複合型映像音声録画再生装置。
【請求項２】
前記入力デバイス部には、前記複数の動作モードに各々対応した操作キーが配設されていることを特徴とする請求項１記載の複合型映像音声録画再生装置。
【請求項３】
前記グラフィック画像は、前記全動作ボタンの中から選択される１つ選択動作ボタンを識別可能に構成され、前記入力デバイス部には、前記選選択動作ボタンを選択するための選択キーと、選択された動作ボタンに対応する動作モードへの動作の変更を指示する決定キーとが配設されていることを特徴とする請求項１記載の複合型映像音声録画再生装置。
【請求項４】
前記選択キーによって、選択動作ボタンを選択する際に、前記無効動作ボタンが選択できないように構成されたことを特徴とする請求項３記載の複合型映像音声録画再生装置。
【請求項５】
前記グラフィック画像は、更に前記入力デバイス部に配設された専用の操作キーを操作することによって表示されることを特徴とする請求項２又は３記載の複合型映像音声録画再生装置。
【請求項６】
前記グラフィック画像は、前記無効動作ボタンに対応する操作キーが操作された際に表示されることを特徴とする請求項２記載の複合型映像音声録画再生装置。
【請求項７】
更に動作中のモードに対応する動作ボタンを識別可能としたことを特徴とする請求項１記載の複合型映像音声録画再生装置。
【請求項８】
複数の映像音声録画再生ストレージを有する複合型映像音声録画再生装置のグラフィック画像形成方法であって、
前記映像音声録画再生ストレージへの記録画像又は前記映像音声録画再生ストレージからの再生画像と共にグラフィック画像を表示可能とし、
該グラフィック画像には前記複合型映像音声録画再生装置の複数の動作モードに各々対応する動作ボタンを表示すると共に、
実行中の動作モードに対して、少なくとも、実行が可能な動作モードに対応する有効動作ボタンと、実行が不可能な動作モードに対応する無効動作ボタンとを識別可能に表示することを特徴とするグラフィック画像表示方法。
【発明の詳細な説明】
【０００１】
【発明の属する技術分野】
本発明は、複数の映像音声録画再生ストレージを備えた複合型映像音声録画再生装置に関し、特にユーザー操作のための画像表示機能を有する複合型映像音声録画再生装置に関する。
【０００２】
【従来の技術】
従来、この種の装置に用いられるマンマシンインターフェースでは、装置のある動作状況下において、その動作時には操作が許されていない処理をユーザーが要求した場合、エラー通知を表示してその旨をユーザーに通知するものが提案されている（例えば、特許文献１参照）。
【０００３】
また、映像音声記録再生装置では、ユーザーによって行なわれた操作に不都合がある場合、警告メッセージを表示しているものもある（例えば、非特許文献１参照）。
【０００４】
【特許文献１】
特開２００２―６７４５５号公報（第４頁、図７）
【非特許文献１】
東芝ＨＤＤ＆ＤＶＤビデオレコーダ「ＲＤ−Ｘ１」取扱説明書、株式会社  東芝、２００１年、第２０頁「メッセージが現れたら」
【０００５】
【発明が解決しようとする課題】
従って、従来の通知方法では、ユーザーは、これから行なおうとする操作が、そのシステムの動作状況下で、実行が許可されているものなのか否かがわからないまま取り敢えず操作を実行しなければならない。そして、実行不可の操作であった場合、その旨を通知されることによって、初めて実行不可の操作であったことを認知することとなる。
【０００６】
特に、複数の映像音声録画再生ストレージ装置を備えた複合型映像音声録画再生装置においては、個々の動作状況下において、動作不可の制約を受ける操作の種類が異なり、しかも複数存在する。
【０００７】
従って、ユーザーは、個々の動作状況下において、実行可能な操作内容を理解した上で操作することが困難であるため、不要な操作を行なったり、操作時に煩雑感をいだいてしまうといった問題があった。
【０００８】
本発明の目的は、これ等の問題点を解消し、ユーザーが、各動作状況下において実行可能な操作種類を容易に理解して、速やかに目的の操作を実行できるようにした複合型映像音声録画再生装置を提供することにある。
【０００９】
【課題を解決するための手段】
本発明の複合型映像音声録画再生装置は、
複数の映像音声録画再生ストレージと、記録映像音声信号をエンコード処理して前記映像音声録画再生ストレージに書き込む記録データを生成するエンコーダ部と、
前記映像音声録画再生ストレージから読み出した再生データをデコード処理して再生映像音声信号を生成するデコーダ部と、ユーザーが操作する複数の操作キーを備えて、該操作キーの操作情報を出力する入力デバイス部と、
複数の動作モードに各々対応する動作ボタンを表示するグラフィック画像を、前記記録映像音声信号又は前記再生映像音声信号に基づくモニター画像に加えて表示可能とすべく、前記記録映像音声信号又は前記再生映像音声信号の画像情報に前記グラフィック画像の画像情報を重畳した映像出力信号を出力する画像処理手段と、
前記操作情報に基づいて、少なくとも前記画像処理手段を制御する制御部と
を有し、
前記エンコーダ部と前記デコーダ部の各動作状態に応じて、前記グラフィック画像に、実行中の動作モードに対して、少なくとも、実行が可能な動作モードに対応する有効動作ボタンと、実行が不可能な動作モードに対応する無効動作ボタンとを識別可能に表示するように構成したことを特徴とする。
【００１０】
また本発明のグラフィック画像表示方法は、
複数の映像音声録画再生ストレージを有する複合型映像音声録画再生装置のグラフィック画像形成方法であって、
前記映像音声録画再生ストレージへの記録画像又は前記映像音声録画再生ストレージからの再生画像と共にグラフィック画像を表示可能とし、該グラフィック画像には前記複合型映像音声録画再生装置の複数の動作モードに各々対応する動作ボタンを表示すると共に、実行中の動作モードに対して、少なくとも、実行が可能な動作モードに対応する有効動作ボタンと、実行が不可能な動作モードに対応する無効動作ボタンとを識別可能に表示することを特徴とする。
【００１１】
【発明の実施の形態】
実施の形態１．
図１は、本発明の複合型映像音声録画再生装置に基づく実施の形態１のＨＤＤ（ｈａｒｄ  ｄｉｓｋ  ｄｒｉｖｅ）内蔵型ＤＶＤ（ｄｉｇｉｔａｌ  ｖｅｒｓａｔｉｌｅ  ｄｉｓｃ）レコーダ装置１の要部構成を示す回路ブロック図である。
【００１２】
同図中、入力信号を入力する入力端子２はビデオデコーダ３の入力部に接続され、ビデオデコーダ３の出力部はＭＰＥＧエンコーダ４とグラフィックプロセッサ１２の一方の入力部にそれぞれ接続されている。エンコーダ部に相当するＭＰＥＧエンコーダ４の出力部は記録用バッファメモリ５の入力部に接続され、記録用バッファメモリ５の出力部は録画経路選択用スイッチ６の可動端子に接続されている。録画経路選択用スイッチ６の一方の固定端子はＨＤ（ｈａｒｄ  ｄｉｓｋ）記録再生ドライブ７の入力部に接続され、録画経路選択用スイッチ６の他方の固定端子はＤＶＤ記録再生ドライブ８の入力部に接続されている。
【００１３】
ＨＤ記録再生ドライブ７の出力部は再生経路選択用スイッチ９の一方の固定端子に接続され、ＤＶＤ記録再生ドライブ８の出力部は再生経路選択用スイッチ９の他方の固定端子に接続されている。再生経路選択用スイッチ９の可動端子は再生用バッファメモリ１０の入力部に接続され、再生用バッファメモリ１０の出力部はＭＰＥＧデコーダ１１の入力部に接続されている。
【００１４】
デコーダ部に相当するＭＰＥＧデコーダ１１の出力部はグラフィックプロセッサ１２の他方の入力部に接続され、画像処理手段に相当するグラフィックプロセッサ１２の出力部はビデオエンコーダ１３の入力部に接続され、そしてビデオエンコーダ１３の出力部は出力信号を出力する出力端子１４に接続されている。
【００１５】
尚、ＨＤ記録再生ドライブ７とＤＶＤ記録再生ドライブ８は、映像音声録画再生ストレージに相当する。
【００１６】
入力デバイス１５の出力部は制御部に相当するシステムコントローラ１６の入力部に接続され、システムコントローラ１６の各Ｉ／Ｏポートは、ビデオデコーダ３、ビデオエンコーダ１３、グラフィックプロセッサ１２、ＭＰＥＧエンコーダ４、ＭＰＥＧデコーダ１１、録画経路選択用スイッチ６、再生経路選択用スイッチ９、ＨＤ記録再生ドライブ７、及びＤＶＤ記録再生ドライブ８の各制御端子と接続している。
【００１７】
図２は、ＨＤＤ内蔵型ＤＶＤレコーダ装置１（図１）の出力信号によって、図示しないディスプレイの画面に表示される表示画像２０の一状態を示す表示画像図である。
【００１８】
モニター画像２１は録画或いは再生された画像であり、グラフィック画像２３は、後述するようにグラフィックプロセッサ１２によって生成される画像で、グラフィック表示によって各動作モードに対応する動作ボタンを表示する。
【００１９】
このグラフィック画像２３の中に表示されるＨＤＤ録画ボタン２４ａは、ＨＤ記録再生ドライブ７による録画モードに対応して生成され、後述するようにその操作に関する情報を表示する。同様に、ＨＤＤ再生ボタン２４ｂは、ＨＤ記録再生ドライブ７による再生モードの操作に関する情報を表示し、ＨＤＤ停止ボタン２４ｃは、ＨＤＤ記録再生ドライブ１３の停止モードの操作に関する情報を表示する。
【００２０】
一方、このグラフィック画像２３の中に表示されるＤＶＤ録画ボタン２５ａはＤＶＤ記録再生ドライブ８による録画モードに対応して生成され、後述するようにその操作に関する情報を表示する。同様に、ＤＶＤ再生ボタン２５ｂはＤＶＤ記録再生ドライブ８の再生モードの操作に関する情報を表示し、ＤＶＤ停止ボタン２５ｃはＤＶＤ記録再生ドライブ８の停止モードの操作に関する情報を表示し、そしてディスク取出ボタン２５ｄはＤＶＤ記録再生ドライブ８のディスク取出動作の操作に関する情報を表示する。
【００２１】
図３は、入力デバイス１５（図１）の一形態であり、リモコン（リモートコントローラ）やシステム本体に配置される入力デバイス部に相当する入力操作装置３０の操作キー配置を示す構成図である。
【００２２】
同図中、ＨＤＤ録画キー３１ａは、ユーザーによってＨＤ記録再生ドライブ７の録画モードの開始を要求する操作キーである。同様に、ＨＤＤ再生キー３１ｂはＨＤ記録再生ドライブ７の再生モードの開始を要求する操作キーであり、ＨＤＤ停止キー３１ｃはＨＤ記録再生ドライブ７の停止モードの開始を要求する操作キーである。
【００２３】
一方、ＤＶＤ録画キー３２ａは、ユーザーによってＤＶＤ記録再生ドライブ８の録画モードの開始を要求する操作キーである。同様に、ＤＶＤ再生キー３２ｂはＤＶＤ記録再生ドライブ８の再生モードの開始を要求する操作キーであり、ＤＶＤ停止キー３２ｃはＤＶＤ記録再生ドライブ８の停止モードの開始を要求する操作キーであり、そしてディスク取出キー３２ｄはＤＶＤ記録再生ドライブ８のディスク取出モードの開始を要求する操作キーである。更に、操作ガイドキー３３は、表示画面２０（図２）にグラフィック画像２３の表示を要求する操作キーである。
【００２４】
操作者によって行なわれる上記した各操作キーの操作情報は、逐次システムコントローラ１６に送信される。
【００２５】
図４は、ＨＤＤ内蔵型ＤＶＤレコーダ装置１（図１）における操作制約の一例を説明する表である。
【００２６】
同表において、列方向にはＨＤＤ内蔵型ＤＶＤレコーダ装置１の各動作モードを列記し、行方向には各動作モードの動作中に、操作者によって押下される図２に示した各操作キーの種類を列記している。表中の「有効」は、各動作モード中に操作が有効な操作キーに対応する個所に記され、また表中の「無効」は、各動作モード中に操作が無効となる操作キーに対応する個所に記され、表中の「−」は、各動作モード中に押下されてもシステムに影響を与えない操作キーに対応する個所に記されている。
【００２７】
次に、上記した図１乃至図４の各図を参照しながらＨＤＤ内蔵型ＤＶＤレコーダ装置１の動作を説明する。
【００２８】
先ず、ＨＤ記録再生ドライブ７に映像音声情報を記録する録画モードについて説明する。図１に示すように、入力端子２に入力信号を受けると、ビデオデコーダ３によって所定の信号処理された出力データが、ＭＰＥＧエンコーダ４に供給され、ここでＭＰＥＧ２方式などのデータ圧縮方式に従って圧縮された後、記録用バッファメモリ５に連続的に記録データとして転送されて蓄えられる。
【００２９】
このとき、録画経路選択用スイッチ６が、システムコントローラ１６に制御されてＨＤ記録再生ドライブ７側の録画経路を選択しており、これによって、記録用バッファメモリ５に蓄えられた記録データは、一定時間間隔で定常的に読み出されてＨＤ記録再生ドライブ７に供給されてＨＤへの録画が行なわれる。
【００３０】
次に、ＤＶＤ記録再生ドライブ８に記録映像音声情報を記録する録画モードについて説明する。この場合、録画経路選択用スイッチ６が、システムコントローラ１６に制御されてＤＶＤ記録再生ドライブ８側の録画経路を選択する。これによって、前記したＨＤへの録画時と同様にして記録用バッファメモリ５に蓄えられた記録データが、一定時間間隔で定常的に読み出されてＤＶＤ記録再生ドライブ８に供給されてＤＶＤへの録画が行なわれる。
【００３１】
次に、ＨＤ記録再生ドライブ７から映像音声情報を再生する再生モードについて説明する。このとき図１に示すように、再生経路選択用スイッチ９が、システムコントローラ１６に制御されてＨＤ記録再生ドライブ７側の再生経路を選択している。これによって、ＨＤ記録再生ドライブ７から一定の時間間隔で定常的に読み出された再生データは、順次再生用バッファメモリ１０に転送されて蓄えられる。
【００３２】
再生用バッファメモリ１０に蓄えられた再生データは、ＭＰＥＧデコーダ１１に連続的に転送され、ここでＭＰＥＧ２方式などのデータ圧縮方式に従って伸張された後、グラフィックプロセッサ１２を経由してビデオエンコーダ１３に供給され、所定の形態の出力信号となって出力端子１４から出力される。
【００３３】
次に、ＤＶＤ記録再生ドライブ８から映像音声情報を再生する再生モードについて説明する。
【００３４】
この場合、再生経路選択用スイッチ９が、システムコントローラ１６に制御されてＤＶＤ記録再生ドライブ８側の再生経路を選択する。これによって、ＤＶＤ記録再生ドライブ８から一定の時間間隔で定常的に読み出された再生データは、順次再生用バッファメモリ１０に転送されて一旦蓄えられ、前記したＨＤからの再生時と同様の経路を経て、出力端子１４から出力される。
【００３５】
以上のように、ＨＤＤ内蔵型ＤＶＤレコーダ装置１は、ＭＰＥＧエンコーダ４を含む録画系経路と、ＭＰＥＧデコーダ１１を含む再生系経路とを個々に独立して備えているので、ＨＤ記録再生ドライブ７による録画を行なう録画モード中に、ＤＶＤ記録再生ドライブ８による再生を行なう再生モードが要求されたとしても同時に実行が可能である。
【００３６】
また逆に、ＤＶＤ記録再生ドライブ８による録画を行なう録画モード中に、ＨＤ記録再生ドライブ７による再生を行なう再生モードが要求された場合も、同時に実行が可能である。以下、このように録画モードと再生モードを同時に実行することを同時動作と称す。
【００３７】
更に、ＨＤ記録再生ドライブ７では、信号の書き込みと読み出しを高速で行なうことが可能であることから、同時期に録画と再生とが要求された場合、これ等の録画動作と再生動作とを、一定時間間隔毎に交互に繰り返し処理することにより、ＨＤ記録再生ドライブ７単独での時分割処理による同時動作が可能になっている。
【００３８】
一方、ここでのＤＶＤ記録再生ドライブ８は、信号書き込みと読み出しの速度的な制約から、このような単独での時分割処理による同時動作が不可能であるものとする。
【００３９】
次に、ある動作モード中の状況下において、そのモードへの切り替えの制約を受ける動作モードについて説明する。
【００４０】
前述したように、一方の記録再生ドライブが、ＭＰＥＧエンコーダ４を含む記録系経路を占有していると、他方の記録再生ドライブは、ＭＰＥＧデコーダ１１を含む再生系経路しか使用することが出来ない。逆に、一方の記録用ドライブが、ＭＰＥＧデコーダ１１を含む再生系経路を占有している場合は、他方の記録再生ドライブは、ＭＰＥＧエンコーダ４を含む記録用経路しか使用することが出来ない。
【００４１】
以上のことから、実行中の動作モードに対して、そのモードからの切り替え或いは同時動作、が不可能な動作モードが生じるが、これに起因して生じる操作制約をまとめた図４の表１を参照しながら、操作キーの操作制約について以下に説明する。
【００４２】
ＨＤ記録再生ドライブ７が、記録系経路を占有するＨＤＤ録画モード中には、再生系経路を使用するＨＤＤ再生モード或いはＤＶＤ再生モードが実行可能であり、入力操作装置３０（図３）のＨＤＤ再生キー３１ｂ或いはＤＶＤ再生キー３２ｂの押下が有効となる。一方、既に占有されている録画系経路を使用するＤＶＤ録画モードの実行を要求するＤＶＤ録画キー３２ａの押下は無効となる。
【００４３】
尚、ＨＤＤ録画モード中において、ＨＤＤ停止キー３１ｃの押下は有効であり、これによりＨＤＤ録画モードが停止される。また、ＨＤＤの一連の動作とは無関係なＤＶＤの取出しを要求するディスク取出キー３２ｄの押下も有効である。
【００４４】
また、表１に示すように、ＨＤ記録再生ドライブ７が、再生系経路を占有するＨＤＤ再生モード中においては、録画系経路を使用するＨＤＤ録画モード或いはとＤＶＤ録画モードが実行可能であり、入力操作装置３０（図３）のＨＤＤ録画キー３１ａ或いはＤＶＤ録画キー３２ａの押下が有効となる。一方、既に占有されている再生系経路を使用するＤＶＤ再生モードの実行を要求するＤＶＤ再生キー３２ｂの押下は無効となる。
【００４５】
尚、ＨＤＤ再生モード中のＨＤＤ停止キー３１ｃの押下は有効であり、これによりＨＤＤ再生モードが停止される。また、ＨＤＤの一連の動作とは無関係なＤＶＤの取出しを要求するディスク取出キー３２ｄの押下も有効である。
【００４６】
また、表１に示すように、ＤＶＤ記録再生ドライブ８が、記録系経路を占有するＤＶＤ録画モード中においては、再生系経路を使用するＨＤＤ再生モードが実行可能であり、入力操作装置３０（図３）のＨＤＤ再生キー３１ｂの押下が有効となる。同じく再生系経路を使用するＤＶＤ再生モードは、ＤＶＤ記録再生ドライブ８が、前記したように同時動作が出来ないため、ＤＶＤ再生キー３２ｂの押下は無効となる。
【００４７】
一方、既に占有されている録画用経路を使用するＨＤＤ録画モードの実行を要求するＨＤＤ録画キー３１ａの押下も無効となる。
【００４８】
尚、ＤＶＤ録画モード中のＤＶＤ停止キー３２ｃの押下は有効であり、これによりＤＶＤ録画モードが停止される。また、ＤＶＤ録画動作を妨げるＤＶＤ取出しを要求するディスク取出キー３２ｄの押下も無効としている。
【００４９】
また、表１に示すように、ＤＶＤ記録再生ドライブ８が、再生系経路を占有するＤＶＤ再生モード中においては、録画系経路を使用するＨＤＤ録画モードが実行可能であり、入力操作装置３０（図３）のＨＤＤ録画キー３１ａの押下が有効となる。同じく記録系経路を使用するＤＶＤ記録モードについては、ＤＶＤ記録再生ドライブ８が、前記したように同時動作が出来ないため、ＤＶＤ録画キー３２ａの押下は無効となる。
【００５０】
一方、既に占有されている再生系経路を使用するＨＤＤ再生モードの実行を要求するＨＤＤ再生キー３１ｂの押下は無効となる。
【００５１】
尚、ＤＶＤ再生モード中のＤＶＤ停止キー３２ｃの押下は許可され、これによりＤＶＤ再生モードが停止される。また、ＤＶＤ取出しを要求するディスク取出キー３２ｄの押下も有効とし、この押下に伴って、ＤＶＤ再生モードが停止された後、ＤＶＤが取出されるように構成されている。
【００５２】
次に、図２の表示画像図を参照しながら、画面表示方法について説明する。
【００５３】
グラフィックプロセッサ１２（図１）は、入力走査装置３０（図３）の操作ガイドキー３３が押下されると、システムコントローラ１６（図１）の制御に従って、記録画像或いは再生画像に基づくモニター画像２１にグラフィック画像２３を重畳した表示画像２０を表示する。
【００５４】
このグラフィック画像２３には、システムの各動作モードに各々対応し、且つ各動作モードの情報を明示する動作ボタンが表示される。例えば、現在実行中の動作モードの種類、実行が可能な動作モードの種類、実行が不可能な動作モードの種類、等を視覚的に区別できるように描画している。
【００５５】
図２の表示画像２０は、その一例を示すもので、ＨＤＤ録画モード中において、記録画像を示すモニター画像２１に重畳されたグラフィック画像２３の状態を示している。
【００５６】
このとき、ＨＤＤ録画ボタン２４ａは、そのボタン外形が太い実線で描写されるとによって、システムが、ＨＤＤ録画キー３１ａ（図３）操作に基づくＨＤＤ録画モード中であることを明示している。この動作時には、前記したように図４の表１に示すように、ＨＤＤ再生キー３１ｂ、ＨＤＤ停止キー３１ｃ、ＤＶＤ再生キー３２ｂ、及びディスク取出キー３２ｄの押下が有効であり、ＤＶＤ録画キー３２ａの押下が無効となる。更に、この動作時には、ＨＤＤ録画キー３１ａ及びＤＶＤ停止キー３２ｃが押下されてもシステムに影響を与えない無効な操作キーとなる。
【００５７】
従って、この時操作が有効となる操作キーに対応する動作モードを表す有効動作ボタンに相当するＨＤＤ再生ボタン２４ｂ、ＨＤＤ停止ボタン２４ｃ、ＤＶＤ再生ボタン２５ｂ、及びディスク取出ボタン２５ｄの各ボタン外形を太い破線で描写することによって、これ等の各動作ボタンに対応する操作キーの操作が有効であることを操作者に明示する。
【００５８】
また、この時操作が無効となる操作キーに対応する動作モードを表す無効動作ボタンに相当するＤＶＤ録画ボタン２５ａ及びＤＶＤ停止ボタン２５ｃの各ボタン外形を細い実線で描写することによって、これ等の各動作ボタンに対応する操作キーの操作が無効であることを操作者に明示する。
【００５９】
同様にして、システムコントローラ１６（図１）は、図４の表１に示す各動作モードでの制約に基づいて各動作ボタンの表示形態を変え、操作が有効な操作キーを操作者に明示する。また、上記した一連の動作は、全てシステムコントローラ１６の制御のもとに、各構成部が有機的に働いて実行されるものである。
【００６０】
尚、上記実施例では、表４に「−」で示したシステムに影響を与えない操作キーに対応する動作ボタンを、操作が無効のグループに入れて表示したが、操作が有効なグループに入れて表示してもよいし、また別の表示形態で操作者に明示できるようにしてもよい。
【００６１】
以上のように、実施の形態１のＨＤＤ内蔵型ＤＶＤレコーダ装置によれば、システムの各動作モード実行中に、操作が有効な操作キーと操作が無効となる操作キーとが操作者に明示されるため、操作者は、無駄な操作を行なうことなく、快適で円滑なキー操作を可能とする操作環境を得ることができる。
【００６２】
実施の形態２．
図５は、本発明の複合型映像音声録画再生装置に基づく実施の形態２のＨＤＤ内蔵型ＤＶＤレコーダ装置に採用される入力操作装置４０の操作キー配置を示す構成図である。
【００６３】
この入力操作装置４０を採用するＨＤＤ内蔵型ＤＶＤレコーダ装置が、前記した実施の形態１のＨＤＤ内蔵型ＤＶＤレコーダ装置１と主に異なる点は、その入力操作装置４０に操作ガイドキーが無い点と、これに伴うシステムコントローラの制御方法である。従って、この入力操作装置４０、及びこの入力操作装置４０を採用するＨＤＤ内蔵型ＤＶＤレコーダ装置が、前記した実施の形態１の入力操作装置３０（図３）、及びＨＤＤ内蔵型ＤＶＤレコーダ装置１と共通する部分には同符号を付して、或いは図面を省いて説明を省略し、異なる点を重点的に説明する。
【００６４】
尚、本実施の形態のシステムコントローラは、実施の形態１のシステムコントローラ１６（図１）と動作内容が異なるが、構成上は図１のブロック図と同じとなるため、図１のブロック図を参照しながら以下に動作を説明する。
【００６５】
ここで、システムコントローラ（構成上、図１のシステムコントローラ１６に相当する）は、表１（図４）に示す各動作モードでの制約に基づく「無効」、或いは「−」に該当する操作キーが操作者によって押下された際に、表示画像２０（図２）にグラフィック画像２３を表示するようにグラフィックプロセッサ１２（図１）を制御する。
【００６６】
従って、例えば、ＨＤＤ録画モード中においてはＤＶＤ録画キー３２ａ、ＨＤＤ録画キー３１ａ、或いはＤＶＤ停止キー３２ｃの何れかが、またＤＶＤ録画モード中においてはＨＤＤ録画キー３１ａ、ＤＶＤ再生キー３２ｂ、ディスク取出キー３２ｄ、ＨＤＤ停止キー３１ｃ、或いはＤＶＤ録画キー３２ａの何れかが押下された際に、グラフィック画像２３が表示される。
【００６７】
尚、グラフィック画像２３の表示に対しては、通常のシステムの初期設定により、このような表示機能の有無を選択できるようにするのが好ましい。
【００６８】
以上のように、実施の形態２の入力操作装置４０を用いたＨＤＤ内蔵型ＤＶＤレコーダ装置によれば、操作者が操作無効の操作キーを押下した際に、操作ガイドとしてのグラフィック画像２３が表示されるので、操作無効の操作キーを何度も操作してしまうといった、操作上の不都合を回避することができる。
【００６９】
実施の形態３．
図６は、本発明の複合型映像音声録画再生装置に基づく実施の形態３のＨＤＤ内蔵型ＤＶＤレコーダ装置の出力信号によって、図示しないディスプレイの画面に表示される表示画像２８の一状態を示す表示画像図であり、図７は、この入力操作装置５０の操作キー配置を示す構成図である。
【００７０】
この入力操作装置５０を採用するＨＤＤ内蔵型ＤＶＤレコーダ装置が、前記した実施の形態１のＨＤＤ内蔵型ＤＶＤレコーダ装置１と主に異なる点は、入力操作装置５０（図７）の構成、表示画像２８（図６）の表示方法、及びこれに伴うシステムコントローラの制御方法である。従って、この入力操作装置５０、及びこの入力操作装置５０を採用するＨＤＤ内蔵型ＤＶＤレコーダ装置が、前記した実施の形態１の入力操作装置３０（図３）と共通する部分には同符号を付して、或いは図面を省いて説明を省略し、異なる点を重点的に説明する。
【００７１】
尚、本実施の形態のシステムコントローラは、実施の形態１のシステムコントローラ１６（図１）と動作内容が異なるが、構成上は図１のブロック図と同じとなるため、図１のブロック図を参照しながら以下に動作を説明する。
【００７２】
図７に示すように、入力操作装置５０には、上方向キー５１ａ、下方向キー５１ｂ、左方向キー５１ｃ、右方向キー５１ｄ、及び決定キー５２からなる方向キー５０と、操作ガイドキー３３が配設されている。
【００７３】
図６の表示画像２８には、前記した実施の形態１の場合と同様に、入力操作装置５０の操作ガイドキー３３の押下によって、グラフィック画像２９が表示される。このグラフィック画像２９には、表１（図４）の操作制約に基づいて表示される前記した実施の形態１のグラフィック画像と同様の表示形態で各動作ボタンが表示されている。
【００７４】
例えば、ＨＤＤ録画モード中の状態を示す図６のグラフィック画像２９では、ＨＤＤ録画ボタン２４ａのボタン外形が太い実線で描写され、システムがＨＤＤ録画モード中であることを明示し、ＨＤＤ再生ボタン２４ｂ、ＨＤＤ停止ボタン２４ｃ、ＤＶＤ再生ボタン２５ｂ、及びディスク取出ボタン２５ｄの各ボタン外形を太い破線で描写することによって、これらの各動作ボタンに対応する動作モードが実行可能であることを明示し、ＤＶＤ録画ボタン２５ａ及びＤＶＤ停止ボタン２５ｃの各ボタン外形を細い実線で描写することによって、これらの対応動作モードの実行が不可能であることを明示している。
【００７５】
更にこのグラフィック画像２９には、ハイライト表示２６が追加されている。このハイライト表示２６は、各動作ボタンの内、１つの動作ボタンの内面部を色分け等によって識別可能とするもので、後述するように、入力操作装置５０の方向キー５１の操作によって各動作ボタン間を移動する。
【００７６】
上記した図６、図７を参照しながら、本実施の形態３のＨＤＤ内蔵型ＤＶＤレコーダ装置の動作について説明する。
【００７７】
入力操作装置５０の操作に応じて、グラフィック画像２９を表示するグラフィックプロセッサ１２を制御するシステムコントローラ（構成上、図１のシステムコントローラ１６に相当する）は、上方向キー５１ａ、下方向キー５１ｂ、左方向キー５１ｃ、及び右方向キー５１ｄの操作に応じてハイライト表示２６の表示位置を上下左右に移動する。
【００７８】
このとき、例えば図６に示すＨＤＤ録画モードにおいて、実行が不可能な動作モードに対応するＤＶＤ録画ボタン２５ａ及びＤＶＤ停止ボタン２５ｃには、ハイライト表示２６が行なわれないように、これらのボタンをパスして移動するように設定されている。
【００７９】
そして、ある動作ボタン、例えばＨＤＤ停止ボタン２４ｃにハイライト表示２６が移動された状態で、決定ボタン５２の押下を確認すると、実施の形態１におけるＨＤＤ停止キー３１ｃが押下されたのと同等の処理を行ない、ＨＤＤ録画モードを停止する。
【００８０】
従って、操作者は、図６に示すＨＤＤ録画モードにおいて、この状態を維持したまま、ＤＶＤ再生を実行したい場合、上下左右方向キー５１を操作してＤＶＤ再生ボタン２５ｂにハイライト表示２６を移動した後、決定ボタン５２を押下する。
【００８１】
同様にして操作者は、方向キー５１を操作して所望の動作ボタンにハイライト表示２６を移動した後、決定ボタン５２を押下することによって、表１（図４）の操作制約に基づくすべての操作を実行することができる。
【００８２】
以上のように、実施の形態３のＨＤＤ内蔵型ＤＶＤレコーダ装置によれば、前記した実施の形態１の効果に加え、実施できない動作モードに対応する動作ボタンはハイライト表示されないため、無駄な操作を完全に排除することができる。更に、入力操作装置５０の操作キーの数を減らすことができ、コスト面でも有利となる。
【００８３】
尚、前記実施の形態２の機能は、前記実施の形態１の機能に追加して構成してもよい、即ち操作ガイドのグラフィック画像が表示されるタイミングとして、操作ガイドキー３３の押下時、及び操作無効の操作キーの押下時のどちらでもよいように構成してもよい。
【００８４】
また、前記実施の形態３では、ある動作モード時に、実行が不可能な動作モードに対応する動作ボタンは、ハイライト表示２６が行なわれないように構成したが、これに限定されるものではなく、これ等のボタンにハイライト表示２６を移動した際には、決定キー５２の表示を消去するようにしてもよいなど、種々の態様を取り得るものである。
【００８５】
また、前記した実施の形態の説明において、「上」、「下」、「左」、「右」といった言葉を使用したが、これらは便宜上であって、複合型映像音声録画再生装置を配置する状態における絶対的な位置関係を限定するものではない。
【００８６】
【発明の効果】
本発明によれば、システムの各動作状態において、操作者の要求によって、切り替えが可能な動作モードと、替えが不可能な動作モードとが視覚的に明示されるため、操作者は、無駄な操作を行なうことなく、快適で円滑なキー操作を可能とする操作環境を得ることができる。
【図面の簡単な説明】
【図１】本発明の複合型映像音声録画再生装置に基づく実施の形態１のＨＤＤ内蔵型ＤＶＤレコーダ装置１の要部構成を示す回路ブロック図である。
【図２】ＨＤＤ内蔵型ＤＶＤレコーダ装置１の出力信号によって、ディスプレイの画面に表示される表示画像２０の一状態を示す表示画像図である。
【図３】入力操作装置３０の操作キー配置を示す構成図である。
【図４】ＨＤＤ内蔵型ＤＶＤレコーダ装置１における操作制約の一例を説明する表である。
【図５】実施の形態２のＨＤＤ内蔵型ＤＶＤレコーダ装置に採用される入力操作装置４０の操作キー配置を示す構成図である。
【図６】実施の形態３のＨＤＤ内蔵型ＤＶＤレコーダ装置の出力信号によって、ディスプレイの画面に表示される表示画像２８の一状態を示す表示画像図である。
【図７】実施の形態３のＨＤＤ内蔵型ＤＶＤレコーダ装置の入力操作装置５０の操作キー配置を示す構成図である。
【符号の説明】
１  ＨＤＤ内蔵型ＤＶＤレコーダ装置、  ２  入力端子、  ３  ビデオデコーダ、  ４  ＭＰＥＧエンコーダ、  ５  記録用バッファメモリ、  ６  録画経路選択用スイッチ、  ７  ＨＤ記録再生ドライブ、  ８  ＤＶＤ記録再生ドライブ、  ９  再生経路選択用スイッチ、  １０  再生用バッファメモリ、  １１  ＭＰＥＧデコーダ、  １２  グラフィックプロセッサ、  １３  ビデオエンコーダ、  １４  出力端子、  １５  入力デバイス、  １６  システムコントローラ、２０  表示画像、  ２１  モニター画像、  ２３  グラフィック画像、  ２４ａ  ＨＤＤ録画ボタン、  ２４ｂ  ＨＤＤ再生ボタン、  ２４ｃ  ＨＤＤ停止ボタン、  ２５ａ  ＤＶＤ録画ボタン、  ２５ｂ  ＤＶＤ再生ボタン、  ２５ｃ  ＤＶＤ停止ボタン、  ２５ｄ  ディスク取出ボタン、  ２６  ハイライト表示、２８  表示画像、  ２９  グラフィック画像、  ３０  入力操作装置、  ３１ａ  ＨＤＤ録画キー、  ３１ｂ  ＨＤＤ再生キー、  ３１ｃ  ＨＤＤ停止キー、３２ａ  ＤＶＤ録画キー、  ３２ｂ  ＤＶＤ再生キー、  ３２ｃ  ＤＶＤ停止キー、  ３２ｄ  ディスク取出キー、  ３３  操作ガイドキー、  ４０  入力操作装置、  ５０  入力操作装置、  ５１  方向キー、  ５１ａ  上方向キー、  ５１ｂ  下方向キー、  ５１ｃ  左方向キー、  ５１ｄ  右方向キー、  ５２  決定キー。
【図１】
2004153384.tif 000003
【図２】
2004153384.tif 000004
【図３】
2004153384.tif 000005
【図４】
2004153384.tif 000006
【図５】
2004153384.tif 000007
【図６】
2004153384.tif 000008
【図７】
2004153384.tif 000009